(57)【要約】【課題】連続ドラマ等、シリーズもののコンテンツについて、そのシリーズに属しているコンテンツと、属していないコンテンツと、の確認が簡単に行えるタイトルメニュー画像を出力することができる再生装置を提供する。【解決手段】再生装置１は、再生しているコンテンツについて、サムネイル画像の設定にかかる入力があると、そのときの再生画像を当該コンテンツのサムネイル画像に設定する。また、記録媒体５に記録されているコンテンツの中に、今回サムネイル画像を設定したコンテンツと、主タイトルが同じであるコンテンツがあれば、これらのコンテンツについても、同じ画像をサムネイル画像として設定する。【選択図】図１
2008160614.tif 000002
【特許請求の範囲】
【請求項１】
記録媒体に記録されているコンテンツに対して設定されているサムネイル画像を取得するサムネイル画像取得手段と、
記録媒体に記録されているコンテンツのタイトル名を、前記サムネイル画像取得手段が取得したサムネイル画像とともに表示装置に一覧で表示させるタイトルメニュー画像を出力するタイトルメニュー画像出力手段と、を備えた再生装置において、
記録媒体に記録されているコンテンツのタイトル名の途中に所定の記号があれば、この所定の記号より前を主タイトル、後をサブタイトルと認識するタイトル名認識手段と、
記録媒体に記録されているコンテンツの再生時に指定された再生画像を、このコンテンツのサムネイル画像に設定するサムネイル画像設定手段と、を備え、
前記サムネイル画像設定手段は、いずれかのコンテンツについてサムネイル画像を設定したとき、このコンテンツと前記主タイトルが同じである他のコンテンツのそれぞれについて、今回設定したサムネイル画像をサムネイル画像に設定する手段である、再生装置。
【請求項２】
記録媒体に記録されているコンテンツに対して設定されているサムネイル画像を取得するサムネイル画像取得手段と、
記録媒体に記録されているコンテンツのタイトル名を、前記サムネイル画像取得手段が取得したサムネイル画像とともに表示装置に一覧で表示させるタイトルメニュー画像を出力するタイトルメニュー画像出力手段と、を備えた再生装置において、
記録媒体に記録されているコンテンツのタイトル名の途中に所定の記号があれば、この所定の記号より前を主タイトル、後をサブタイトルと認識するタイトル名認識手段と、
記録媒体に記録されているコンテンツの再生時に指定された再生画像を、このコンテンツのサムネイル画像に設定するサムネイル画像設定手段と、を備え、
前記サムネイル画像設定手段は、いずれかのコンテンツについてサムネイル画像を設定したとき、このコンテンツと前記主タイトルが同じである他のコンテンツそれぞれについて、再生時間が今回サムネイル画像を設定したコンテンツにおける当該サムネイル画像の再生時間と同じである再生画像を、サムネイル画像に設定する手段である、再生装置。
【発明の詳細な説明】
【技術分野】
【０００１】
この発明は、ハードディスクやＤＶＤ等の記録媒体に記録されているコンテンツを再生する再生装置に関する。
【背景技術】
【０００２】
従来、ハードディスクやＤＶＤ等の記録媒体に記録されているコンテンツを再生する再生装置があった。一般的な再生装置には、ユーザが記録媒体に記録されている各コンテンツの内容を簡単に確認できるように、コンテンツのタイトル名と、そのコンテンツのサムネイル画像とを対応づけて一覧で表示させるタイトルメニュー画像を出力する機能が設けられている。このタイトルメニュー画像は、接続されている表示装置において表示される。この機能は、記録媒体に記録されているコンテンツの中から、再生するコンテンツをユーザに確認させるものである。ユーザは、記録媒体に記録されているコンテンツを再生するときに、表示装置で表示されているタイトルメニュー画像を見て、再生するコンテンツを確認し、指定する。タイトルメニュー画像でサムネイル画像を用いる理由は、そのコンテンツの内容をユーザに簡単に確認させるためである。したがって、記録媒体に記録されている各コンテンツのサムネイル画像は、そのコンテンツの内容をユーザが確認しやすい画像であるのが望ましい。
【０００３】
また、ユーザが、記録媒体に記録されているコンテンツの内容を簡単に確認できるように、そのコンテンツの再生画像に基づいて、動画インデックスデータを作成し、この動画インデックスデータを再生する構成を設けた装置（特許文献１参照）や、そのコンテンツの複数の再生画像を一覧で表示する構成を設けた装置（特許文献２参照）もある。
【特許文献１】特開２００５−８６３４４号公報
【特許文献２】特開２０００−１２５２４３号公報
【発明の開示】
【発明が解決しようとする課題】
【０００４】
しかしながら、従来の再生装置は、サムネイル画像をコンテンツ毎に設定しているだけであり、コンテンツ間の関係に応じて各コンテンツのサムネイル画像を設定するものではなかった。このため、連続ドラマ等、シリーズもののコンテンツについて、そのシリーズに属しているコンテンツと、属していないコンテンツと、の確認が簡単に行えるタイトルメニュー画像を出力することができなかった。言い換えれば、ユーザが、タイトルメニュー画像において、記録媒体に記録されているコンテンツを、シリーズ別に確認しにくいという問題があった。
【０００５】
この発明の目的は、連続ドラマ等、シリーズもののコンテンツについて、そのシリーズに属しているコンテンツと、属していないコンテンツと、の確認が簡単に行えるタイトルメニュー画像を出力することができる再生装置を提供することにある。
【課題を解決するための手段】
【０００６】
この発明の再生装置は、上記課題を解決するために以下の構成を備えている。
【０００７】
（１）記録媒体に記録されているコンテンツに対して設定されているサムネイル画像を取得するサムネイル画像取得手段と、
記録媒体に記録されているコンテンツのタイトル名を、前記サムネイル画像取得手段が取得したサムネイル画像とともに表示装置に一覧で表示させるタイトルメニュー画像を出力するタイトルメニュー画像出力手段と、を備えた再生装置において、
記録媒体に記録されているコンテンツのタイトル名の途中に所定の記号があれば、この所定の記号より前を主タイトル、後をサブタイトルと認識するタイトル名認識手段と、
記録媒体に記録されているコンテンツの再生時に指定された再生画像を、このコンテンツのサムネイル画像に設定するサムネイル画像設定手段と、を備え、
前記サムネイル画像設定手段は、いずれかのコンテンツについてサムネイル画像を設定したとき、このコンテンツと前記主タイトルが同じである他のコンテンツのそれぞれについて、今回設定したサムネイル画像をサムネイル画像に設定する手段である。
【０００８】
この構成では、タイトル名認識手段が、記録媒体に記録されているコンテンツのタイトル名に所定の記号、例えばハイフン（−）、が含まれていれば、このハイフンよりも前が主タイトル、後がサブタイトルであると認識する。サムネイル画像設定手段が、コンテンツの再生時に指定された再生画像を、このコンテンツのサムネイル画像に設定する。また、サムネイル画像設定手段は、いずれかのコンテンツについてサムネイル画像を設定したとき、このコンテンツと主タイトルが同じである他のコンテンツのそれぞれについて、今回設定したサムネイル画像をサムネイル画像に設定する。
【０００９】
このため、連続ドラマ等のシリーズもののコンテンツを記録媒体に記録している場合、このシリーズに属する複数のコンテンツについて、その主タイトルを同じにしておけば、いずれか１つのコンテンツについてサムネイル画像を設定するだけで、他のコンテンツについても同じサムネイル画像を設定することができる。これにより、シリーズ毎に、そのシリーズに属しているコンテンツと、属していないコンテンツと、の確認が簡単に行えるタイトルメニュー画像を出力することができる。ユーザは、タイトルメニュー画像において、記録媒体に記録されているコンテンツを、シリーズ別に確認することができる。
【００１０】
（２）記録媒体に記録されているコンテンツに対して設定されているサムネイル画像を取得するサムネイル画像取得手段と、
記録媒体に記録されているコンテンツのタイトル名を、前記サムネイル画像取得手段が取得したサムネイル画像とともに表示装置に一覧で表示させるタイトルメニュー画像を出力するタイトルメニュー画像出力手段と、を備えた再生装置において、
記録媒体に記録されているコンテンツのタイトル名の途中に所定の記号があれば、この所定の記号より前を主タイトル、後をサブタイトルと認識するタイトル名認識手段と、
記録媒体に記録されているコンテンツの再生時に指定された再生画像を、このコンテンツのサムネイル画像に設定するサムネイル画像設定手段と、を備え、
前記サムネイル画像設定手段は、いずれかのコンテンツについてサムネイル画像を設定したとき、このコンテンツと前記主タイトルが同じである他のコンテンツそれぞれについて、再生時間が今回サムネイル画像を設定したコンテンツにおける当該サムネイル画像の再生時間と同じである再生画像を、サムネイル画像に設定する手段である
この構成では、サムネイル画像設定手段が、いずれかのコンテンツについてサムネイル画像を設定したとき、このコンテンツと前記主タイトルが同じである他のコンテンツそれぞれについて、再生時間が今回サムネイル画像を設定したコンテンツにおける当該サムネイル画像の再生時間と同じである再生画像を、サムネイル画像に設定する点で、上記（１）と相違する。連続ドラマ等の場合、コンテンツの開始から、タイトル名や何話目であるか等を示す画像が表示されるタイミングが同じである。また、この画像は、殆ど同じ画像である。したがって、連続ドラマ等のシリーズもののコンテンツを記録媒体に記録している場合、このシリーズに属する複数のコンテンツについて、その主タイトルを同じにしておき、いずれか１つのコンテンツについてタイトル名や何話目であるか等を示す画像をサムネイル画像に設定する操作を行うだけで、他のコンテンツについても殆ど同じサムネイル画像を設定することができる。これにより、シリーズ毎に、そのシリーズに属しているコンテンツと、属していないコンテンツと、の確認が簡単に行えるタイトルメニュー画像を出力することができる。
【発明の効果】
【００１１】
この発明によれば、連続ドラマ等、シリーズもののコンテンツについて、そのシリーズに属しているコンテンツと、属していないコンテンツと、の確認が簡単に行えるタイトルメニュー画像を出力することができる。
【発明を実施するための最良の形態】
【００１２】
以下、この発明の実施形態である再生装置について説明する。
【００１３】
図１は、この発明の実施形態である再生装置の主要部の構成を示す図である。この実施形態の再生装置１は、制御部２と、入力部３と、記録／再生部４と、記録媒体５と、出力部６と、操作部７と、を備えている。制御部２は、本体各部の動作を制御する。入力部３は、外部からのコンテンツの入力を受け付け、当該コンテンツを出力する。この入力部３は、例えば、図示していないアンテナで受信されているテレビ放送信号から、選局されているチャンネルのテレビ放送信号を抽出して出力するチューナや、インタネット等を介して図示していないサーバからコンテンツをダウンロードし出力する通信部である。記録／再生部４は、入力部３が出力しているコンテンツのデータを処理し、このコンテンツを記録媒体５に記録（録画）する。記録媒体５は、例えばハードディスクや、ＤＶＤ等の光ディスクである。また、記録／再生部４は、記録媒体５に録画されているコンテンツのデータを読み出して出力部６へ出力する再生機能も有している。記録／再生部４は、記録媒体５に録画するコンテンツのデータをエンコードするエンコード処理や、記録媒体５から読み出したコンテンツのデータをデコードするデコード処理を行う機能を有している。記録／再生部４は、デコードしたコンテンツのデータを出力する。出力部６は、記録／再生部４から入力されているコンテンツのデータを処理し、そのコンテンツの映像信号、および音声信号を生成して出力する。出力部６には、映像を表示する表示装置１１や音声を送出するスピーカ１２が接続される。表示装置１１は、出力部６から入力されている映像信号に基づく映像を表示する。スピーカ１２は、出力部６から入力されている音声信号に基づく音声を送出する。操作部７は、ユーザが入力操作を行う操作キーや、図示していないリモコンから送られてきた制御信号を受信するリモコン受信部を有している。
【００１４】
また、記録媒体５には、記録しているコンテンツ毎に、その管理情報を記録する管理情報記録領域が設けられている。コンテンツの管理情報には、そのコンテンツのタイトル名、記録日時、サムネイル画像、コンテンツ本体の記録位置を示すアドレス等が含まれている。
【００１５】
この実施形態の再生装置１は、記録媒体５に録画されているコンテンツに対して、ユーザがタイトル名やサムネイル画像を設定することができる。制御部２は、記録媒体５の管理情報記録領域に記録されている管理情報に基づいて、記録媒体５に記録されている各コンテンツを管理する。制御部２は、タイトル名にハイフン（−）（この発明で言う、所定の記号に相当する。）が含まれていれば、このハイフンよりも前が主タイトル、後がサブタイトルであると認識する。
【００１６】
なお、制御部２は、タイトル名にハイフンが複数含まれているときには、最初のハイフンよりも前が主タイトル、この最初のハイフンよりも後がサブタイトルであると認識する。
【００１７】
次に、この実施形態の再生装置１の動作について説明する。この実施形態の再生装置１は、入力部３に入力されたコンテンツを記録媒体５に記録する記録処理や、記録媒体５に記録されているコンテンツを再生する再生処理等を実行する。この記録処理は、公知の装置と同じであるので、ここでは、簡単に説明しておく。記録媒体５に記録するコンテンツは、入力部３に入力される。例えば、ディジタルテレビ放送により放送されているコンテンツや、インタネットに接続されたサーバからダウンロードされたコンテンツが入力部３に入力される。再生装置１は、入力部３に入力されているコンテンツのデータを記録／再生部４に入力する。記録／再生部４は、この入力されているデータを処理し、処理したデータを記録媒体５に記録する。記録／再生部４は、入力されているコンテンツのデータを、記録形式に応じた形式のデータに変換する処理等を行う。また、再生装置１は、記録媒体５に対するコンテンツの記録時に、このコンテンツにかかる管理情報を管理情報記録エリアに記録する。
【００１８】
また、ユーザは、操作部７やリモコンでタイトル名の変更にかかる入力操作を行うことで、記録媒体５に記録されているコンテンツのタイトル名を変更することができる。すなわち、ユーザは、この機能を利用することで、連続ドラマ等のシリーズもののコンテンツのタイトル名を、主タイトルが同じで、サブタイトルが異なるタイトル名に変更できる。
【００１９】
また、再生装置１は、記録媒体に記録されている各コンテンツの内容をユーザに確認させるタイトルメニュー画像を出力する機能を有している。このタイトルメニュー画像は、表示装置１１において表示される。タイトルメニュー画像は、記録媒体５に記録されている各コンテンツのタイトル名と、そのコンテンツのサムネイル画像とを対応づけて一覧で表示する画像である。１画面に表示されるコンテンツの数は、１つであってもよいし、複数であってもよい。再生装置１は、タイトルメニュー画像が複数画面にわたる場合には、操作部７やリモコンでページ切換にかかる操作が行われると、表示装置１１で表示されているタイトルメニュー画像のページを切り換える。ユーザは、記録媒体５に記録されているコンテンツの中から、再生するコンテンツを選択するとき等に、タイトルメニュー画像を利用する。
【００２０】
また、この実施形態の再生装置１は、コンテンツの再生時に、そのコンテンツのサムネイル画像の設定変更が行える。図２は、この実施形態の再生装置の再生処理を示すフローチャートである。再生装置１は、記録媒体５に記録しているコンテンツを再生しているとき、本体に対する入力を待っている（ｓ１）。ユーザは、操作部７やリモコンを操作することで本体に対する入力が行える。再生装置１は、本体に対する入力が、サムネイル画像の設定にかかる入力であれば、再生中のコンテンツについて、その時点での再生画像をサムネイル画像に設定する（ｓ２、ｓ３）。ｓ３では、記録媒体５の管理情報記録領域に記録している、再生中のコンテンツに対するサムネイル画像を、今回設定したサムネイル画像に更新する書き換えを行う。
【００２１】
また、再生装置１は、ｓ３でサムネイル画像を設定したコンテンツ、すなわち再生中のコンテンツ、と主タイトルが同じであるコンテンツが、記録媒体５に記録されているかどうかを判定する（ｓ４）。再生装置１は、主タイトルが同じであるコンテンツが記録媒体５に記録されていれば、主タイトルが同じであるコンテンツについても、記録媒体５の管理情報記録領域に記録しているサムネイル画像を、今回設定したサムネイル画像に更新する書き換えを行い（ｓ５）、ｓ１に戻る。これにより、主タイトルが再生中のコンテンツと同じであるコンテンツは、同じサムネイル画像になる。例えば、再生中のコンテンツのタイトル名が「○○○−ＡＡ」であった場合に、記録媒体５にタイトル名が「○○○−ＢＢ」、「○○○−ＣＣ」、「×××−ＡＡ」のコンテンツが記録されている場合、タイトル名が「○○○−ＢＢ」、「○○○−ＣＣ」であるコンテンツについては、サムネイル画像を、今回タイトル名が「○○○−ＡＡ」であるコンテンツについて設定したサムネイル画像に更新し、タイトル名が「×××−ＡＡ」であるコンテンツについては、サムネイル画像を更新しない。再生装置１は、ｓ３でサムネイル画像を設定したコンテンツと主タイトルが同じであるコンテンツが記録媒体５に記録されていなければ、ｓ１に戻る。
【００２２】
また、再生装置１は、再生停止にかかる入力があると、実行中の再生処理を停止し、本処理を終了する（ｓ６、ｓ７）。また、上記以外の入力、例えば一時停止、早送りにかかる入力、があれば、その入力に応じた処理（その他の処理）を実行し（ｓ８）、ｓ１に戻る。
【００２３】
したがって、この実施形態の再生装置１によれば、連続ドラマ等のシリーズもののコンテンツを記録媒体５に記録している場合、このシリーズに属する複数のコンテンツについて、その主タイトルを同じにしておくだけで、いずれか１つのコンテンツにのサムネイル画像を設定するだけで、他のコンテンツについても同じサムネイル画像を設定することができる。これにより、シリーズ毎に、そのシリーズに属しているコンテンツと、属していないコンテンツと、の確認が簡単に行えるタイトルメニュー画像を出力することができる。ユーザは、タイトルメニュー画像において、記録媒体に記録されているコンテンツを、シリーズ別に確認することができる。
【００２４】
次に、この発明の別の実施形態について説明する。この実施形態の再生装置１も図１に示す構成である。また、この実施形態の再生装置１も、コンテンツの再生時に、そのコンテンツのサムネイル画像の設定変更が行える。図３は、この実施形態の再生装置の再生処理を示すフローチャートである。図３では、図２に示した処理と同じ処理については、同じステップ番号（ｓ*）を付している。図３に示すように、この実施形態の再生装置１は、上記実施形態の再生装置１のｓ５を、ｓ１１、ｓ１２に置き換えた処理である。再生装置１は、ｓ３で再生中のコンテンツに対して設定したサムネイル画像の再生時間を検出する（ｓ１１）。ここで言う再生時間とは、再生中のコンテンツの先頭から、今回設定したサムネイル画像が再生されるまでの時間である。再生装置１は、主タイトルが同じであるコンテンツ毎に、そのコンテンツにおけるｓ１１で検出した再生時間の画像を、サムネイル画像として設定する（ｓ１２）。例えば、再生中のコンテンツのタイトル名が「○○○−ＡＡ」であった場合に、記録媒体５にタイトル名が「○○○−ＢＢ」、「○○○−ＣＣ」、「×××−ＡＡ」のコンテンツが記録されている場合、
タイトル名が「○○○−ＢＢ」であるコンテンツについては、このコンテンツにおけるｓ１１で検出した再生時間の画像を、サムネイル画像に更新し、
タイトル名が「○○○−ＣＣ」であるコンテンツについては、このコンテンツにおけるｓ１１で検出した再生時間の画像を、サムネイル画像に更新し、
タイトル名が「×××−ＡＡ」であるコンテンツについては、サムネイル画像を更新しない。
【００２５】
連続ドラマ等の場合、コンテンツの開始から、タイトル名や何話目であるか等を示す画像が表示されるタイミングが同じである。また、この画像は、殆ど同じ画像である。したがって、連続ドラマ等のシリーズもののコンテンツを記録媒体に記録している場合、このシリーズに属する複数のコンテンツについて、その主タイトルを同じにしておき、いずれか１つのコンテンツについてタイトル名や何話目であるか等を示す画像をサムネイル画像に設定する操作を行うだけで、他のコンテンツについても殆ど同じサムネイル画像を設定することができる。これにより、シリーズ毎に、そのシリーズに属しているコンテンツと、属していないコンテンツと、の確認が簡単に行えるタイトルメニュー画像を出力することができる。したがって、ユーザは、タイトルメニュー画像において、記録媒体に記録されているコンテンツを、シリーズ別に確認することができる。
【図面の簡単な説明】
【００２６】
【図１】この発明の実施形態である再生装置の主要部の構成を示す図である。
【図２】この発明の実施形態である再生装置の再生動作を示すフローチャートである。
【図３】この発明の別の実施形態である再生装置の再生動作を示すフローチャートである。
【符号の説明】
【００２７】
１−再生装置
２−制御部
３−入力部
４−記録／再生部
５−記録媒体
６−出力部
７−操作部
【図１】
2008160614.tif 000003
【図２】
2008160614.tif 000004
【図３】
2008160614.tif 000005